(57)【要約】【課題】貯蔵物の劣化を防止するとともに冷却効率を向上できる冷蔵庫を提供する。【解決手段】貯蔵物を収納する貯蔵室６と、冷気を生成する冷却器５７と、冷却器５７で生成した冷気が流通する冷気通路２７と、貯蔵室６の上部に開口して冷気通路２７を流通する冷気を貯蔵室６に吐出する吐出口１５ａ、１５ｂとを備えた冷蔵庫１において、冷気通路２７が冷却器５７の下流で流路面積が広げられた第１圧力室２７ｂと、第１圧力室２７ｂの下流に連通して流路面積が狭められる狭窄部２７ｃと、狭窄部２７ｃの下流に連通して流路面積が広げられる第２圧力室２７ｄとを有し、吐出口１５ａ、１５ｂは狭窄部２７ｃに対して第２圧力室２７ｄを広げる方向に延びて第２圧力室２７ｄ内に設けられる。【選択図】図５
2010249394.tif 000002
【特許請求の範囲】
【請求項１】
貯蔵物を収納する貯蔵室と、冷気を生成する冷却器と、前記冷却器で生成された冷気を前記貯蔵室に送出する送風機と、前記冷却器で生成した冷気が前記送風機の駆動により流通する冷気通路と、前記貯蔵室に開口して前記冷気通路を流通する冷気を前記貯蔵室に吐出する吐出口とを備えた冷蔵庫において、前記冷気通路が前記冷却器の下流で流路面積が広げられた第１圧力室と、第１圧力室の下流に連通して流路面積が狭められる狭窄部と、前記狭窄部の下流に連通して流路面積が広げられる第２圧力室とを有し、前記吐出口は前記狭窄部に対して第２圧力室を広げる方向に延びて第２圧力室内に設けられることを特徴とする冷蔵庫。
【請求項２】
前記吐出口は前記狭窄部に対して第２圧力室を広げる方向に並設される複数の開口から成ることを特徴とする請求項１に記載の冷蔵庫。
【請求項３】
前記冷気通路を前記貯蔵室の背面に設け、前記狭窄部が前記貯蔵室の背面に沿って流路面積が狭められるとともに、第１、第２圧力室が前記貯蔵室の背面に沿って流路面積が広げられることを特徴とする請求項１または請求項２に記載の冷蔵庫。
【請求項４】
第１圧力室の上方に第２圧力室を配置し、前記吐出口を前記貯蔵室の背面上部の左右にわたって設けたことを特徴とする請求項３に記載の冷蔵庫。
【請求項５】
第２圧力室の上壁が左部及び右部に対して下方に配される中央部を有し、前記狭窄部を前記中央部に対向配置して第２圧力室に流入する気流を遮って左右に分岐させるとともに、前記吐出口を前記左部及び前記右部に沿って配置したことを特徴とする請求項４に記載の冷蔵庫。
【請求項６】
前記中央部の上方の前記左部と前記右部との間に前記貯蔵室内を照明する照明装置を設けたことを特徴とする請求項５に記載の冷蔵庫。
【請求項７】
前記吐出口の下方に前記貯蔵室の背面を覆う熱良導体から成る部材を設けたことを特徴とする請求項１〜請求項６のいずれかに記載の冷蔵庫。
【発明の詳細な説明】
【技術分野】
【０００１】
本発明は、冷気通路に形成された吐出口から冷気を貯蔵室に吐出する冷蔵庫に関する。
【背景技術】
【０００２】
従来の冷蔵庫は特許文献１に開示されている。この冷蔵庫は冷蔵室の下方に冷却器が配され、冷却器で生成した冷気が流通する冷気通路が冷蔵室の背面に設けられる。冷気通路には複数の吐出口が上下に並設され、送風機の駆動によって冷却器から冷気通路に流入する冷気が下方に配された吐出口から順に冷蔵室内に吐出される。これにより、冷蔵室内が冷却される。
【先行技術文献】
【特許文献】
【０００３】
【特許文献１】特開平５−６０４４６号公報（第３頁−第４頁、第３図）
【発明の概要】
【発明が解決しようとする課題】
【０００４】
しかしながら、上記従来の冷蔵庫によると、上部の吐出口に冷気を到達させるために冷気通路の下部の冷気流入側では冷気の流速が大きい。このため、下部の吐出口から冷気が勢いよく吐出されて貯蔵物に吹き付けられ、貯蔵物の劣化が促進される問題があった。また、自重で流下する冷気が冷蔵室の上部よりも下部に多く吐出されるため冷蔵室の冷却が不均一になり、冷却効率が悪い問題もあった。
【０００５】
本発明は、貯蔵物の劣化を防止するとともに冷却効率を向上できる冷蔵庫を提供することを目的とする。
【課題を解決するための手段】
【０００６】
上記目的を達成するために本発明は、貯蔵物を収納する貯蔵室と、冷気を生成する冷却器と、前記冷却器で生成された冷気を前記貯蔵室に送出する送風機と、前記冷却器で生成した冷気が前記送風機の駆動により流通する冷気通路と、前記貯蔵室に開口して前記冷気通路を流通する冷気を前記貯蔵室に吐出する吐出口とを備えた冷蔵庫において、前記冷気通路が前記冷却器の下流で流路面積が広げられた第１圧力室と、第１圧力室の下流に連通して流路面積が狭められる狭窄部と、前記狭窄部の下流に連通して流路面積が広げられる第２圧力室とを有し、前記吐出口は前記狭窄部に対して第２圧力室を広げる方向に延びて第２圧力室内に設けられることを特徴としている。
【０００７】
この構成によると、冷却器で生成された冷気は送風機の駆動によって冷気通路の第１圧力室に流入する。第１圧力室は流路面積が広げられ、動圧が静圧に変換されて流速が急激に低下する。第１圧力室を流出する冷気は狭窄部を介して第２圧力室に流入する。第２圧力室は狭窄部に対して流路面積が広げられ、動圧が静圧に変換されて流速が更に低下する。第２圧力室で流速が低下した冷気は、第２圧力室が広がる方向に延びて形成された吐出口から貯蔵室に吐出される。
【０００８】
また本発明は、上記構成の冷蔵庫において、前記吐出口は前記狭窄部に対して第２圧力室を広げる方向に並設される複数の開口から成ることを特徴としている。
【０００９】
また本発明は、上記構成の冷蔵庫において、前記冷気通路を前記貯蔵室の背面に設け、前記狭窄部が前記貯蔵室の背面に沿って流路面積が狭められるとともに、第１、第２圧力室が前記貯蔵室の背面に沿って流路面積が広げられることを特徴としている。この構成によると、冷気通路は第１圧力室で背面に沿って例えば左右方向に広げられ、狭窄部で狭められる。第２圧力室は狭窄部に対して例えば左右方向に広げられ、吐出口は左右方向に延びて形成される。
【００１０】
また本発明は、上記構成の冷蔵庫において、第１圧力室の上方に第２圧力室を配置し、前記吐出口を前記貯蔵室の背面上部の左右にわたって設けたことを特徴としている。
【００１１】
また本発明は、上記構成の冷蔵庫において、第２圧力室の上壁が左部及び右部に対して下方に配される中央部を有し、前記狭窄部を前記中央部に対向配置して第２圧力室に流入する気流を遮って左右に分岐させるとともに、前記吐出口を前記左部及び前記右部に沿って配置したことを特徴としている。
【００１２】
この構成によると、第１圧力室から狭窄部を介して第２圧力室に流入する冷気は第２圧力室の上壁の中央部に衝突して左右に分岐し、中央部よりも上方に配された上壁の左部及び右部に沿って配される吐出口に導かれる。
【００１３】
また本発明は、上記構成の冷蔵庫において、前記中央部の上方の前記左部と前記右部との間に前記貯蔵室内を照明する照明装置を設けたことを特徴としている。この構成によると、貯蔵室の中央上部から照明装置により貯蔵室内が照明される。
【００１４】
また本発明は、上記構成の冷蔵庫において、前記吐出口の下方に前記貯蔵室の背面を覆う熱良導体から成る部材を設けたことを特徴としている。この構成によると、冷気通路を流通する冷気の冷熱及び吐出口から吐出された冷気の冷熱が部材に伝えられ、貯蔵室内に放出される。また、扉を開いた際に流入する外気に含まれた水分が部材上で結露し、貯蔵室内で蒸発して貯蔵室内が保湿される。
【発明の効果】
【００１５】
本発明によると、冷気通路が冷却器の下流で流路面積を広げられる第１圧力室と狭窄部を介して第１圧力室に連結される第２圧力室とを有し、吐出口は狭窄部に対して第２圧力室を広げる方向に延びて形成されるので、冷気通路を流通する冷気が第１圧力室及び第２圧力室で動圧が静圧に変換されて減速される。減速した冷気は第２圧力室が広がる方向に延びる吐出口によって広い範囲から貯蔵室内に均一に供給される。従って、貯蔵室を均一に冷却して冷却効率を向上することができる。また、貯蔵室の壁面に沿って第１、第２圧力室が広げられるので、貯蔵室の容積を広く確保して冷気を減速させることができる。
【図面の簡単な説明】
【００１６】
【図１】本発明の実施形態の冷蔵庫を示す外観斜視図
【図２】本発明の実施形態の冷蔵庫の扉を開いた状態を示す斜視図
【図３】本発明の実施形態の冷蔵庫の下部を示す側面断面図
【図４】本発明の実施形態の冷蔵庫のパネル組品を示す斜視図
【図５】本発明の実施形態の冷蔵庫のパネル組品を示す背面図
【図６】本発明の実施形態の冷蔵庫のパネル組品を示す側面断面図
【図７】図６の要部詳細図
【図８】図５のＨ−Ｈ断面図
【図９】図５のＡ−Ａ断面図
【図１０】本発明の実施形態の冷蔵庫の照明装置を示す分解斜視図
【図１１】本発明の実施形態の冷蔵庫の照明装置を示す平面図
【図１２】本発明の実施形態の冷蔵庫の照明装置の基板を示す上面図
【図１３】本発明の実施形態の冷蔵庫の照明装置の基板を示す側面図
【図１４】本発明の実施形態の冷蔵庫の照明装置の基板を示す正面図
【図１５】本発明の実施形態の冷蔵庫の照明装置を示す正面断面図
【図１６】図１５の要部詳細図
【図１７】本発明の実施形態の冷蔵庫のイオン発生装置を示す正面図
【図１８】本発明の実施形態の冷蔵庫のイオン発生装置を示す側面断面図
【図１９】本発明の実施形態の冷蔵庫の他のイオン発生装置を示す斜視図
【図２０】本発明の実施形態の冷蔵庫の他のイオン発生装置を示す斜視図
【発明を実施するための形態】
【００１７】
以下に本発明の実施形態を図面を参照して説明する。図１、図２は一実施形態の冷蔵庫を示す外観斜視図及び扉を開いた状態の正面から見た斜視図である。冷蔵庫１は冷蔵室６が上部に配され、断熱壁１０を介して下方に冷凍室８、９が配置されている。左右に配される冷凍室８、９の間は縦断熱壁１１により仕切られる。冷蔵室６は右扉２及び左扉３によって開閉され、冷凍室８、９はそれぞれ右扉４、左扉５により開閉される。
【００１８】
冷蔵室６の右扉２及び左扉３の内面には貯蔵物を収納するドアポケット２ａ、３ａがそれぞれ設けられる。冷蔵室６内には貯蔵物を載置する複数の載置棚１２が配される。冷蔵室６に下部には仕切板１３で仕切られた隔離室７が設けられる。隔離室７内には貯蔵物を収納する引き出し式の収納ケース７ａが複数設けられている。
【００１９】
右側の冷凍室８の上部には製氷装置８ａが設けられる。製氷装置８ａの下方には氷を貯める貯氷箱８ｂが配されている。製氷装置８ａ及び貯氷箱８ｂの側方と下方には貯蔵物を収納する収納ケース８ｃが複数設けられる。左側の冷凍室９内にも同様に収納ケース９ｃが複数設けられる。
【００２０】
図３は冷蔵庫１の下部の冷凍室８を通る断面を示す側面断面図である。冷蔵庫１の本体部を形成する断熱箱体１ａと冷凍室８内との間には背面板５５で覆われた背面ダクト５６が形成される。背面ダクト５６内は仕切板５６ａにより前後に分割され、前面に複数の背面吐出口６３が開口して後側に冷却器５７が配される。冷却器５７の上方には送風機５８が配される。冷却器５７は冷凍室８、９の下部後方に配された圧縮機５９に接続される。圧縮機５９の駆動により冷媒が流通して冷凍サイクルが運転され、冷却器５７は冷凍サイクルの低温側となる。
【００２１】
縦断熱壁１１は背面板５５に接して配置され、背面ダクト５６に連通する第１、第２冷気ダクト７１、７３が設けられる。冷凍室８、９の底部には第１冷気ダクト７１に連通する底面ダクト７５が設けられる。底面ダクト７５には前面、背面及び縦断熱壁１１から離れた側の側面に冷気戻り口７２が設けられている。
【００２２】
第２冷気ダクト７３の前部には左右の冷凍室８、９に向けてそれぞれ開口する側面吐出口７４が設けられる。尚、断熱壁１０に設けたダンパ６５を開いて冷蔵室６の背面に設けられる冷気通路２７（図５参照）に冷気が送出される。
【００２３】
図４は冷蔵室６の背面を形成するパネル組品１４を正面から見た斜視図を示している。また、図５、図６はパネル組品１４の背面図及び側面断面図を示し、図７は図６の要部詳細図である。パネル組品１４は隔離室７（図２参照）の上方に配され、背面側に冷気が流通する冷気通路２７を形成する。
【００２４】
パネル組品１４は樹脂成形品から成るパネル１５を有し、パネル１５の前面側には金属（アルミニウムやステンレス）等の熱良導体から成る部材１８が配される。部材１８の両側方には半透明の樹脂から成るランプカバー１６、１７が設けられる。尚、部材１８と載置棚１２との間には隙間１２ａが形成されている。
【００２５】
パネル１５の上部の左右方向の中央部には照明室２０ａがパネル１５と一体に形成される。照明室２０ａの左右には冷気を吐出する吐出口１５ａ、１５ｂが開口する。照明室２０ａ内には照明装置２０が背面からネジ止めされる。照明室２０ａの上方にはカバー１９が設けられる。尚、ランプカバー１６、１７の後方にもＬＥＤを有した同様の照明装置が配される。
【００２６】
パネル１５の背面には発泡断熱材により形成されるダクト２８が配される。パネル１５は部材１８の取り付け部分が開口し、ダクト２８が部材１８に接して設けられる。ダクト２８の周囲には断熱箱体１ａ（図３参照）に当接する枠材２８ｇが設けられ、枠材２８ｇにより冷気通路２７の外形が形成される。冷気通路２７はダンパ６５（図３参照）に連通する。ダンパ６５の開成により冷却器５７で生成された冷気が冷気通路２７を下方から上方に向かって流通し、吐出口１５ａ、１５ｂから冷蔵室６内に吐出される。
【００２７】
冷気通路２７の下部はダンパ６５の流路に対して冷蔵室６の背面に沿って左右方向に流路面積が広げられた第１圧力室２７ｂが形成される。ダンパ６５から第１圧力室２７ｂに流入する冷気は流路面積の拡大によって動圧が静圧に変換され、急激に流速が低下する。
【００２８】
第１圧力室２７ｂはダクト２８の背面に突設されるリブ３２によって左右方向に３分割され、右から順（図５の背面図では左から順）に右通路２９、中通路３０、左通路３１が設けられる。第１圧力室２７ｂの上端には左右方向に延びるリブ２８ｈによって流路が狭められた狭窄部２７ｃが設けられる。左右に分岐して右通路２９、中通路３０、左通路３１を流通する冷気は上部で合流して狭窄部２７ｃを通過する。
【００２９】
冷気通路２７の上部には狭窄部２７ｃから再び左右に広がった第２圧力室２７ｄが設けられる。枠材２８ｇにより形成されるダクト２８の上壁２８ｃは右部２８ｄ及び左部２８ｅに対して狭窄部２７ｃに対向する中央部２８ｆが下方に配される。中央部２８ｆの上方の右部２８ｄと左部２８ｅとの間に照明室２０ａが形成され、右部２８ｄ及び左部２８ｅに沿って吐出口１５ａ、１５ｂが左右方向に延びて形成される。
【００３０】
これにより、狭窄部２７ｃを通過した冷気は上壁２８ｃの中央部２８ｆに衝突して左右に分岐し、左右に広がる第２圧力室２７ｄにより動圧が静圧に変換されて流速が更に低下する。これにより、各吐出口１５ａ、１５ｂ付近にほぼ均等に静圧がかかり、各吐出口１５ａ、１５ｂの左右に広い範囲から均一に冷蔵室６に吐出される。
【００３１】
また、第２圧力室２７ｄの狭窄部２７ｃ近傍にはイオン発生装置８６が配されるイオン発生室２８ａがダクト２８と一体に形成される。イオン発生室２８ａの背面は上部が前方に傾斜した傾斜面２８ｋから成っている。また、吐出口１５ａ、１５ｂは傾斜面２８ｋよりも前方に配置される。これにより、冷気通路２７を流通する冷気は傾斜面２８ｋに沿って流れて吐出口１５ａ、１５ｂに円滑に導かれる。
【００３２】
また、イオン発生室２８ａに対向する断熱箱体１ａにはイオン発生室２８ａの上流側にイオン発生室２８ａの方向に冷気を導く傾斜面から成る案内部２７ａが形成されている。案内部２７ａによってイオン発生室２８ａに導かれる冷気の流路が絞られる。狭窄部２７ｃを通過する冷気は流路が狭くなるため流速が増加され、傾斜面２８ｋに沿って多くの冷気が流れる。また、傾斜面２８ｋに沿って流れる冷気は案内部２７ａによって流路が絞られて更に流速が増加される。その後、冷気は左右に分岐して広がり、流速が低下する。
【００３３】
これにより、イオン発生室２８ａ近傍に冷気を流通させて第２圧力室２７ｄを通過する冷気全体にイオンを含ませることができる。また、単位流量当たりに含むことのできるイオンの量には限度がある。このため、冷気の増速によってイオン発生装置８６で発生したイオンを飽和させずに冷気に十分含ませて吐出口１５ａ、１５ｂに拡散して導くことができる。
【００３４】
図８は図５のＨ−Ｈ断面図を示している。第２圧力室２７ｄはイオン発生室２８ａの側方で水平面２７ｅにより前方に突出し、吐出口１５ａ、１５ｂが傾斜面２８ｋよりも前方に配される。このため、狭窄部２７ｃを通過して傾斜面２８ｋに沿って流れる多くの冷気は、中央部２８ｆにより左右に分岐して前後方向にも広がる。これにより、より多くの冷気の動圧を静圧に変換して冷気の流速をより低下させることができる。このため、吐出口１５ａ、１５ｂからイオンを含んだ冷気をより均一に冷蔵室６に吐出させることができる。
【００３５】
尚、狭窄部２７ｃや案内部２７ａで流速が速くなり過ぎて激しい渦流が生じると、騒音の発生やイオン同士の衝突によるイオン数の減少が著しくなる。この場合、前後方向の広がりを緩やかにするため、水平面２７ｅに狭窄部２７ｃから吐出口１５ａ、１５ｂへ向かって傾斜した平面または曲面から成る傾斜面を設けてもよい。
【００３６】
図５において、部材１８はダクト２８よりも横幅が広く形成され、ダクト２８の側方の部材１８には背面側に温度センサ３５（温度検知手段）が接して配されている。図９は図５のＡ−Ａ断面図を示している。パネル１５には孔部３５ａが開口して形成され、孔部３５ａの周囲には後方に突出した曲面形状を有する係止部３５ｂが一体成形されている。
【００３７】
柱状の温度センサ３５は背面側から係止部３５ｂを弾性により広げて孔部３５ａに押入され、部材１８に接する。この時、係止部３５ｂは弾性によって温度検知手段３５を前方の部材１８の方向に付勢する。これにより、温度センサ３５を確実に部材１８に密着させることができる。
【００３８】
温度センサ３５は部材１８の温度を検知し、温度センサ３５の検知結果に基づいてダンパ６５（図３参照）の開閉や圧縮機５９（図３参照）のオンオフが行われる。これにより、冷蔵室６の冷気の吐出が制御される。
【００３９】
温度センサを部材１８に接して設けたので、均一な温度に維持される部材１８から放出される冷熱によって冷蔵室６内の温度を均一にすることができる。また、温度センサ３５は部材１８に接して冷蔵室６の平均的な温度を検知することができるため、冷蔵室６を正確に温度制御して効率のよい冷却保存ができる。従って、適切な温度で貯蔵物を保存できるとともに、省エネルギー性を向上することができる。
【００４０】
図１０、図１１は照明装置２０の分解斜視図及び平面図を示している。照明装置２０はベース２１、導光板２２、基板２３、反射シート２４を有している。ベース２１は樹脂成形品から成り、基板２３を収納する収納部２１ａが一端に形成される。導光板２２は透明樹脂から成り、前面に出射面２２ｃを有して背面側に傾斜面２２ｂが形成される。
【００４１】
基板２３に実装されるＬＥＤ２３ａの出射光は導光板２２を導光し、傾斜面２２ｂで反射して出射面２２ｃに導かれる。出射面２２ｃの出射光によって冷蔵室６内が照明される。導光板２２にはＬＥＤ２３ａとの対向面積を広く得るために、ＬＥＤ２３ａの先端が挿入される凹部２２ａが形成される。反射シート２４は透明粘着材により導光板２２に接着されるアルミ箔から成り、上方に漏れる光を反射して出射面２２ｃに導く。
【００４２】
図１２、図１３、図１４は基板２３の上面図、側面図及び正面図を示している。ＬＥＤ２３ａは基板２３の一面に実装され、同じ面にコネクタ２３ｃが実装される。コネクタ２３ｃにはコネクタ２５ａ（図１０参照）を介してリード線２５（図１０参照）が接続され、ＬＥＤ２３ａに電力が供給される。
【００４３】
図１５は照明装置２０の正面断面図を示している。また、図１６は図１５の要部拡大図である。基板２３は収納部２１ａの上面開口部から挿入され、収納部２１ａ内に設けられたリブ２１ｂ、２１ｃによって挟まれて固定されている。この時、基板２３から突出するコネクター２３ｃはベース２１の下面から側方に突出する突出部２１ｄとこれに対向する収納部２１ａの内壁との間を通過する。そして、基板２３がリブ２１ｂの上面に形成される傾斜面によって図中、左方に案内され、リブ２１ｂ、２１ｃ間に基板２３が固定される。
【００４４】
これにより、基板２３が導光板２２の方向に移動し、導光板２２の凹部２２ａ（図１１参照）にＬＥＤ２３ａの先端が入り込む。このため、ＬＥＤ２３ａが凹部２２ａに接近しての光を漏れなく導光板２２に伝えることができる。また、収納部２１ａの下部の導光板２２側は開口してコネクター２３ｃの先端が配される。これにより、コネクター２３ｃ、２５ａを容易に接続できるとともに、リード線２５（図５参照）に無理な応力がかからないようにできる。尚、コネクター２３ｃ、２５ａを接続した後に基板２３を収納部２１ａに組み込んでもよい。
【００４５】
また、基板２３と収納部２１ａの内面との間に絶縁性を有するスポンジ状のスペーサーを押入してもよい。これにより、基板２３のガタツキを防止し、ＬＥＤ２３ａと導光板２２との間隔を安定して所定の間隔に維持することができる。
【００４６】
図１７、図１８はイオン発生装置８６の正面図及び側面断面図を示している。イオン発生装置８６は絶縁体から成るハウジング８６ａにより覆われ、針状の放電電極８６ｐ、８６ｑが離れて配される。放電電極８６ｐ、８６ｑの周囲には環状の誘導電極８６ｅが配される。イオン発生室２８ａ（図５参照）内で放電電極８６ｐ、８６ｑは上下方向に並設され、放電電極８６ｐが上方に配されて放電電極８６ｑが下方に配される。即ち、放電電極８６ｑを有するイオン発生部８６ｋ（図１７参照）は放電電極８６ｐを有するイオン発生部８６ｊ（図１７参照）よりも遮蔽部と成る中央部２８ｆから離れて配置される。
【００４７】
ハウジング８６ａには放電電極８６ｐ、８６ｑに対向する貫通孔８６ｂが設けられる。これにより、イオン発生面８６ｄに放電電極８６ｐ、８６ｑが露出する。貫通孔８６ｂはイオン発生室２８ａの冷気通路２７に面して開口する開口部２８ｂ（図５参照）に対向する。これにより、放電電極８６ｐ、８６ｑは冷気通路２７に面して配されている。
【００４８】
放電電極８６ｐ、８６ｑと誘導電極８６ｅとの間のイオン発生部８６ｊ、８６ｋで発生したイオンはイオン発生室２８ａ内に流入した冷気と混合され、開口部２８ｂから冷気通路２７に流出する。
【００４９】
また、イオン発生面８６ｄにはフィルタ８６ｈを配した通気孔８６ｇが両貫通孔８６ｂの間に形成される。通気孔８６ｇはハウジング８６ａ内部でイオン発生部８６ｄと連通する。イオン発生面８６ｄをイオン発生室２８ａの背面から離れて配置した際に、通気孔８６ｇからハウジング８６ａ内に流入した冷気はイオン発生部８６ｄから流出する。このため、イオン発生部８６ｊ、８６ｋで発生したイオンを停滞させずに冷気に含ませることができる。
【００５０】
尚、フィルタ８６ｈにより左右のイオン発生部８６ｊ、８６ｋの間が隔離され、プラスイオンとマイナスイオンの衝突による消滅を少なくしてイオン供給効率を向上させることができる。左右のイオン発生部８６ｊ、８６ｋ間に両者を隔離するリブを設けてもよい。
【００５１】
放電電極８６ｐ、８６ｑには誘導電極８６ｅに対して正極性または負極性の高電圧がそれぞれ印加される。これにより、上方に配される放電電極８６ｐと誘導電極８６ｅとの間に形成されるイオン発生部８６ｊに例えばコロナ放電によりプラスイオンが発生する。また、下方に配される放電電極８６ｑと誘導電極８６ｅとの間に形成されるイオン発生部８６ｋに例えばコロナ放電によりマイナスイオンが発生する。
【００５２】
一方の放電電極８６ｐには正電圧が印加され、電離により発生するイオンが空気中の水分と結合して主としてＨ+（Ｈ2Ｏ）ｍから成る電荷が正のクラスタイオンを発生する。他方の放電電極８６ｑには負電圧が印加され、電離により発生するイオンが空気中の水分と結合して主としてＯ2-（Ｈ2Ｏ）ｎから成る電荷が負のクラスタイオンを発生する。ここで、ｍ、ｎは任意の自然数である。Ｈ+（Ｈ2Ｏ）ｍ及びＯ2-（Ｈ2Ｏ）ｎは空気中の浮遊菌や臭い成分及び貯蔵物の付着菌の表面で凝集してこれらを取り囲む。
【００５３】
そして、式（１）〜（３）に示すように、衝突により活性種である［・ＯＨ］（水酸基ラジカル）やＨ2Ｏ2（過酸化水素）を微生物等の表面上で凝集生成して浮遊菌や臭い成分等を破壊する。ここで、ｍ’、ｎ’は任意の自然数である。従って、プラスイオン及びマイナスイオンを発生して吐出口１５ａ、１５ｂから吐出することにより室内の殺菌及び臭い除去を行うことができる。
【００５４】
Ｈ+(Ｈ2Ｏ)ｍ＋Ｏ2-(Ｈ2Ｏ)ｎ→・ＯＨ＋1/2Ｏ2＋(ｍ＋ｎ)Ｈ2Ｏ    ・・・（１）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ 2・ＯＨ＋Ｏ2＋(ｍ＋ｍ'＋ｎ＋ｎ')Ｈ2Ｏ ・・・（２）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ Ｈ2Ｏ2＋Ｏ2＋(ｍ＋ｍ'＋ｎ＋ｎ')Ｈ2Ｏ ・・・（３）
【００５５】
尚、イオン発生装置８６は針状の放電電極８６ｐ、８６ｑ及び誘導電極８６ｅを有しているが、他の構成であってもよい。例えば、図１９に示すように、イオン発生面８６ｄに平面状の放電電極８６ｐ、８６ｑ（８６ｑは不図示）が配されたイオン発生装置であってもよい。また、図２０に示すように、リード線８６ｎにより電源部８６ｍに接続された針状の放電電極８６ｐ、８６ｑ（８６ｑは不図示）を有するイオン発生装置であってもよい。
【００５６】
上記構成の冷蔵庫１において、冷却器５７で熱交換して生成された冷気は送風機５８の駆動により背面ダクト５６の前側に導かれ、背面板５５に設けた複数の背面吐出口６３から上下に分散して冷凍室８、９内に吐出される。背面吐出口６３から吐出された冷気は前方へ導かれて収納ケース８ｃ、９ｃの周囲を流通する。
【００５７】
また、背面ダクト５６の前側から第２冷気ダクト２３を流通する冷気は複数の側面吐出口７４から上下に分散して冷凍室８、９内に吐出される。側面吐出口７４から吐出された冷気は縦断熱壁１１から離れる方向に導かれて収納ケース８ｃ、９ｃの周囲を流通する。そして、冷凍室８、９内を流通した冷気は冷気戻り口７２を介して底面ダクト７５に流入し、第１冷気ダクト７１を介して冷却器５７に戻る。これにより、冷凍室８、９内が冷却される。
【００５８】
断熱壁１０に設けたダンパ６５が開かれると冷蔵室６の背面に設けられる冷気通路２７に冷気が送出される。冷気通路２７の下部に設けられる第１圧力室２７ｂは冷蔵室６の左右にわたって形成され、ダンパ６５から左右に通路が拡幅される。これにより、冷気通路２７の流路面積が広くなるため冷気の流速が減速される。
【００５９】
第１圧力室２７ｂに流入した冷気は右通路２９、中通路３０、左通路３１に分散して上昇し、上部で合流して狭窄部２７ｃを介して第２圧力室２７ｄに流入する。イオン発生装置８６で発生したイオンは開口部２８ｂを介してイオン発生室２８ａから流出し、狭窄部２７ｃを通過して増速された冷気に含まれる。イオン発生室２８ａに沿って上昇する冷気はダクト２８の上壁２８ｃの中央部２８ｆに衝突して遮られる。
【００６０】
この時、渦流が発生してイオンが渦流によって攪拌され、冷気中に均一に含まれる。また、２つの開口部８６ｂの上流側からマイナスイオンを放出して下流側からプラスイオンが放出される。このため、開口部８６ｂの一方からプラスイオンを継続して放出されるとともに他方からマイナスイオンが継続的に放出される。これにより、一の放電電極で交互に正負のイオンを発生するよりもイオンの発生量が増加して衝突による減少の影響を小さくできる。
【００６１】
また、イオン発生装置８６の近傍は傾斜面から成る案内部２７ａによって冷気がイオン発生室２８ａに向かうように案内される。これにより、冷気がイオン発生室２８ａ内に流入してイオンを含んで流出するため、イオン発生装置８６で発生したイオンが冷気通路２７内に流出し易くなる。
【００６２】
イオンを含む冷気は上壁２８ｃの中央部２８ｆによって左右に分岐し、前後及び左右に広がる第２圧力室２７ｄによって更に流速が減速される。そして、左右方向に広がった吐出口１５ａ、１５ｂから冷蔵室６内に吐出される。冷蔵室６の上部に配される吐出口１５ａ、１５ｂから吐出された冷気は冷蔵室６内を流下して貯蔵物を冷却し、冷気に含まれるイオンによって冷蔵室６内が除菌される。これにより、貯蔵物や冷蔵室６内を清潔に保つことができ、冷却保存に適した冷蔵庫１を実現できる。
【００６３】
尚、吐出口１５ａ、１５ｂは複数の開口を左右方向に並設して形成してもよい。これにより、必要な場所から冷蔵室６内に冷気を供給できるとともに、吐出口１５ａ、１５ｂ近傍のパネル１５の強度を向上することができる。また、狭窄部２７ｃから中央部２８ｆまでの距離が長くとることができず、狭窄部２７ｃ近傍に配された吐出口１５ａ、１５ｂからの吐出量が多くなる場合がある。この時、独立した各開口の開口面積を小さくして容易に吐出量を適量にすることもできる。
【００６４】
冷気通路２７を流通する冷気の冷熱はダクト２８を介して部材１８に伝えられる。また、吐出口１５ａ、１５ｂから流下する冷気の冷熱が部材１８に伝えられる。加えて、載置棚１２に新たに貯蔵物が載置された際に貯蔵物の熱が部材１８に伝えられる。この時、載置棚１２と部材１８との間に隙間１２ａが形成されるため、部材１８に沿って冷気が流下するとともに暖気が上昇する。これにより、冷気の冷熱や貯蔵物の熱を確実に部材１８に伝えることができる。
【００６５】
冷蔵室６の背面を覆う部材１８は熱良導体から成るため、冷気の冷熱や貯蔵物の熱が与えられると急速に温度が均一化される。そして、部材１８の全体から冷熱または熱が放出され、部材１８は冷蔵室６の平均的な温度に維持される。これにより、冷蔵室６内の温度分布を均一にすることができる。このため、冷却効率が向上し、省エネルギー性を向上することができる。温度センサ３５は冷蔵室６の平均的な温度となる部材１８の温度を検知し、検知結果に基づいて冷蔵室６の冷気の吐出が制御される。
【００６６】
尚、パネル組品１４の強度を上げるため、部材１８とダクト２８の間にパネル１５の壁面を設けてもよい。また、ダクト２８やパネル１５の厚みを調節して冷熱の放出量を調節してもよく、場合によっては、開口して直接部材１８に冷気が接するようにしてもよい。
【００６７】
また、冷蔵室６の右扉２や左扉３を開いた際に冷蔵室６内に外気が流入し、外気に含まれる水分が部材１８と接触して結露する。部材１８の結露は右扉２や左扉３を閉じた後に蒸発して冷蔵室６内が保湿される。このため、貯蔵物の乾燥を低減できるとともに、水分子と結合するクラスタイオンを大きくすることができる。これにより、イオンが消滅しにくくなるため冷蔵室６の隅々までイオンを搬送することができる。
【００６８】
尚、部材１８の前面に折曲による凹凸を設けると、部材１８上を流下する結露水を凹凸の上方に面した面に溜めて保湿効果をより向上することができる。凹凸はプレス加工や絞り加工等により折曲して容易に形成することができる。
【００６９】
本実施形態によると、冷気通路２７が冷却器５７の下流で流路面積を広げられる第１圧力室２７ｂと狭窄部２７ｃを介して第１圧力室２７ｂに連結される第２圧力室２７ｄとを有するので、冷気通路２７を流通する冷気が第１圧力室２７ｂ及び第２圧力室２７ｄで動圧が静圧に変換されて減速される。そして、減速した冷気は第２圧力室２７ｄが広がる方向に延びる吐出口１５ａ、１５ｂによって広い範囲から冷蔵室６（貯蔵室）内に均一に供給される。従って、冷蔵室６を均一に冷却して冷却効率を向上することができる。また、冷蔵室６の背面に沿って第１、第２圧力室２７ｂ、２７ｄが広げられるので、冷蔵室６の容積を広く確保して冷気を減速させることができる。
【００７０】
尚、狭窄部２７ｃに対して第２圧力室２７ｄが左右方向に広がり、吐出口１５ａ、１５ｂが左右方向に延びて形成されるが、他の構成でもよい。例えば、狭窄部２７ｃに対して第２圧力室２７ｄが上下方向に広がる場合は吐出口を上下方向に延びて形成することにより同様の効果を奏する。即ち、狭窄部２７ｃに対して第２圧力室２７ｄを広げる方向に吐出口が延びて設けられていればよい。
【００７１】
また、第２圧力室２７ｄは狭窄部２７ｃに対して左右方向に広がった後、例えば、左右の端部で上下方向に屈曲してそれぞれ上下方向に延びる冷気通路を形成してもよい。そして、上下方向に延びた部分に吐出口を設けることによって冷気をより分散して吐出し、冷蔵室６を更に均一に冷却することができる。また、第２圧力室２７ｄを左右に独立して設けてもよい。
【００７２】
また、第１圧力室２７ｂの上方に第２圧力室２７ｄを配置し、吐出口１５ａ、１５ｂを冷蔵室６の背面上部の左右にわたって設けたので、冷蔵室６の上部の広い範囲から冷気を吐出して冷蔵室６をより均一に冷却することができる。
【００７３】
また、第２圧力室２７ｄの上壁２８ｃが左部２８ｃ及び右部２８ｄに対して下方に配される中央部２８ｆを有し、狭窄部２７ｃを中央部２８ｆに対向配置して第２圧力室２７ｄに流入する気流を遮って左右に分岐させるとともに、吐出口１５ａ、１５ｂを右部２８ｄ及び左部２８ｃに沿って配置したので、狭窄部２７ｃを通過する冷気を左右に広がる吐出口１５ａ、１５ｂに容易に導くことができる。
【００７４】
また、中央部２８ｆの上方の左部２８ｃと右部２８ｄとの間に冷蔵室６内を照明する照明装置２０を設けたので、下方に配される中央部２８ｆの上方のスペースを有効利用して冷蔵室６の中央上部から冷蔵室６の全体を照明することができる。
【００７５】
また、吐出口１５ａ、１５ｂの下方に冷蔵室６の背面を覆う熱良導体から成る部材１８を設けたので、吐出口１５ａ、１５ｂから流下する冷気の冷熱が部材１８に伝えられる。これにより、部材１８全体から冷熱が放出され、冷蔵室６の温度を均一にすることができる。また、外気流入時に部材１８で結露して保湿されるため、水分子と結合したクラスタイオンを大きくして冷蔵室６の隅々までイオンを搬送することができる。
【００７６】
本実施形態において、冷蔵室６の左右方向の中央部をより冷却する際には、照明室２０ａを省いてその部分に吐出口を設けるとよい。この時、照明装置２０は冷蔵室６の天井部等に設けることにより庫内照明を行うことができる。
【００７７】
また、冷蔵室６の背面に設けた冷気通路２７の第１、第２圧力室２７ｂ、２７ｄを冷蔵室６の側壁まで延びて形成してもよい。これにより、第１、第２圧力室２７ｂ、２７ｄの流路面積が更に広げられて冷気が減速され、冷蔵室６をより均一に冷却することができる。また、冷気通路２７を冷蔵室６の側壁に設けてもよい。
【産業上の利用可能性】
【００７８】
本発明は、冷気通路に形成された吐出口から冷気を貯蔵室に吐出する冷蔵庫に利用することができる。
【符号の説明】
【００７９】
１    冷蔵庫
１ａ  断熱箱体
６    冷蔵室
７    隔離室
８、９  冷凍室
１０    断熱壁
１１    縦断熱壁
１４    パネル組品
１５    パネル
１５ａ、１５ｂ  吐出口
１８    部材
２０    照明装置
２０ａ  照明室
２１    ベース
２１ａ  収納部
２２    導光板
２３    基板
２３ａ  ＬＥＤ
２７    冷気通路
２７ａ  案内部
２７ｂ  第１圧力室
２７ｃ  狭窄部
２７ｄ  第２圧力室
２８    ダクト
２８ａ  イオン発生室
２８ｂ  開口部
２８ｃ  上壁
２８ｆ  中央部
２９    右通路
３０    中通路
３１    左通路
３５    温度センサ
３５ａ  孔部
３５ｂ  係止部
５５    背面板
５６    背面ダクト
５７    冷却器
５８    送風機
５９    圧縮機
６３    背面吐出口
６５    ダンパ
７１    第１冷気ダクト
７２    冷気戻り口
７３    第２冷気ダクト
７４    側面吐出口
７５    底面ダクト
８６    イオン発生装置
８６ａ  ハウジング
８６ｂ  貫通孔
８６ｄ  イオン発生面
８６ｅ  誘電電極
８６ｇ  通気孔
８６ｈ  フィルタ
８６ｊ、８６ｋ  イオン発生部
８６ｐ、８６ｑ  放電電極
【図１】
2010249394.tif 000003
【図２】
2010249394.tif 000004
【図３】
2010249394.tif 000005
【図４】
2010249394.tif 000006
【図５】
2010249394.tif 000007
【図６】
2010249394.tif 000008
【図７】
2010249394.tif 000009
【図８】
2010249394.tif 000010
【図９】
2010249394.tif 000011
【図１０】
2010249394.tif 000012
【図１１】
2010249394.tif 000013
【図１２】
2010249394.tif 000014
【図１３】
2010249394.tif 000015
【図１４】
2010249394.tif 000016
【図１５】
2010249394.tif 000017
【図１６】
2010249394.tif 000018
【図１７】
2010249394.tif 000019
【図１８】
2010249394.tif 000020
【図１９】
2010249394.tif 000021
【図２０】
2010249394.tif 000022